(57)【特許請求の範囲】
【請求項１】
上部に開口部を有するプラスチック製の外容器と、前記外容器の開口部を閉じるプラスチック製の蓋体と、上面部に穴を形成し、該穴を破断可能なフィルムで封止して形成された吸い出し口を有し、内部に液状内容物を収容し、液状内容物の消尽時に交換可能に前記外容器に収納される紙製の内容器と、前記蓋体に設けられ、前記外容器に収容された前記内容器の前記吸い出し口に吸い込み管を突き刺して液状内容物を吸い込み外部へ吐出する注出ポンプとからなり、前記外容器の開口部を前記蓋体で閉じたとき、前記注出ポンプの吸い込み管が前記内容器の前記吸い出し口に差し込まれるようになっている詰め替え容器であって、
前記注出ポンプの前記吸い込み管は、前記内容器に有する前記吸い出し口を形成する前記穴の直径より小径に形成されており、前記吸い込み管には、前記穴の直径と同径若しくは僅かに大径に形成され、前記外容器の開口部を前記蓋体で閉じたとき、前記注出ポンプの吸い込み管の下移動により、前記穴に当接し弾性変形して前記内容器内へ入り、前記外容器から前記蓋体を外したとき、前記注出ポンプの吸い込み管の上移動により前記穴に掛止し、前記内容器を一体となって引き上げる楔状の鍔状部が設けられていることを特徴とする詰め替え容器。
【請求項２】
前記蓋体は、前記外容器の外周に嵌合する筒壁部を有し、前記注出ポンプの吸い込み管は、その先端が前記筒壁部の開口端の内側に位置する長さとなっていることを特徴とする請求項１に記載の詰め替え容器。
【請求項３】
前記注出ポンプの前記吸い込み管は、前記外容器の開口部を前記蓋体で閉じたとき、その先端が前記内容器の底部近傍に位置する長さとなっていることを特徴とする請求項１または２のいずれか１項に記載の詰め替え容器。
【請求項４】
前記蓋体の前記筒壁部の内周面および前記外容器の外周面には、前記外容器の開口部を前記蓋体で閉じたとき係合する、係脱可能な凸条部と凹条部が周方向に設けられていることを特徴とする請求項１乃至３のいずれか１項に記載の詰め替え容器。
【請求項５】
前記内容器の上面部に有する吸い出し口は、前記内容器の上面部中央に位置して形成されており、また、前記蓋体に設けられた注出ポンプは、前記蓋体の天板部中央に位置して設けられていることを特徴とする請求項１乃至４のいずれか１項に記載の詰め替え容器。
【発明の詳細な説明】
【技術分野】
【０００１】
本発明は、液状内容物の詰め替えが可能な詰め替え容器に関する。
【背景技術】
【０００２】
従来、液状内容物の詰め替えが可能な詰め替え容器として、上部に開口部を有する外容器と、外容器の開口部を閉じる蓋体と、上部に吸い出し口を有し、内部に液状内容物を収容し、液状内容物の消尽時に交換可能に外容器に収納される内容器と、蓋体に設けられ、外容器に収容された内容器の吸い出し口に吸い込み管を差し込んで液状内容物を吸い込み外部へ注出する注出ポンプとからなり、外容器の開口部を蓋体で閉じたとき、注出ポンプの吸い込み管が内容器の吸い出し口に差し込まれるようになっている詰め替え容器がある（例えば、特許文献１参照。）。
特許文献１に記載されているような詰め替え容器は、内容器内の液状内容物を消尽したら、外容器から蓋体を外し、外容器に収容されている内容器から注出ポンプの吸い込み管を抜き取り、外容器に収容されている内容器を外容器から取り出して、新しい内容器に交換することにより詰め替えを行っている。
【先行技術文献】
【特許文献】
【０００３】
【特許文献１】特開２００３−２５２３３８号公報
【発明の概要】
【発明が解決しようとする課題】
【０００４】
しかしながら、特許文献１に記載されているような詰め替え容器は、外容器から蓋体を外したとき、蓋体に設けられている注出ポンプの吸い込み管が蓋体の筒壁部より長く、蓋体の下端から外部へ突出しているため、外容器から蓋体を外して床等の上に置いたとき、注出ポンプの吸い込み管の先端が床等に接し、衛生的では無く、吸い込み管の先端に付着している液状内容物により床等を汚してしまうといった問題がある。
【０００５】
また、吸い込み管の先端を内容器の吸い出し口に突き刺して差し込むような場合、吸い込み管の先端部は突き刺しやすいように、一般に斜めにカットされその先端が尖った形状に形成することが知られているが、注出ポンプの吸い込み管が蓋体の下端から外部へ突出していると、床等の上に置いたときその先端を傷つけてしまい突き刺し性が確保できなくなる場合があり、また、尖った先端で使用者の手を傷つけてしまうおそれがあるといった問題がある。
【０００６】
本発明の目的は、内容器の交換による液状内容物の詰め替え作業を容易にかつ安全に行えるようにした詰め替え容器を提供することにある。
【課題を解決するための手段】
【０００７】
上記の目的を達成するために、請求項１に記載の発明は、部に開口部を有するプラスチック製の外容器と、前記外容器の開口部を閉じるプラスチック製の蓋体と、上面部に穴を形成し、該穴を破断可能なフィルムで封止して形成された吸い出し口を有し、内部に液状内容物を収容し、液状内容物の消尽時に交換可能に前記外容器に収納される紙製の内容器と、前記蓋体に設けられ、前記外容器に収容された前記内容器の前記吸い出し口に吸い込み管を突き刺して液状内容物を吸い込み外部へ吐出する注出ポンプとからなり、前記外容器の開口部を前記蓋体で閉じたとき、前記注出ポンプの吸い込み管が前記内容器の前記吸い出し口に差し込まれるようになっている詰め替え容器であって、
前記注出ポンプの前記吸い込み管は、前記内容器に有する前記吸い出し口を形成する前記穴の直径より小径に形成されており、前記吸い込み管には、前記穴の直径と同径若しくは僅かに大径に形成され、前記外容器の開口部を前記蓋体で閉じたとき、前記注出ポンプの吸い込み管の下移動により、前記穴に当接し弾性変形して前記内容器内へ入り、前記外容器から前記蓋体を外したとき、前記注出ポンプの吸い込み管の上移動により前記穴に掛止し、前記内容器を一体となって引き上げる楔状の鍔状部が設けられていることを特徴としている。
【０００８】
請求項２に記載の発明は、請求項１に記載の、前記蓋体は、前記外容器の外周に嵌合する筒壁部を有し、前記注出ポンプの吸い込み管は、その先端が前記筒壁部の開口端の内側に位置する長さとなっていることを特徴としている。
【０００９】
請求項３に記載の発明は、請求項１または２のいずれか１項に記載の、前記注出ポンプの前記吸い込み管は、前記外容器の開口部を前記蓋体で閉じたとき、その先端が前記内容器の底部近傍に位置する長さとなっていることを特徴としている。
【００１０】
請求項４に記載の発明は、請求項１乃至３のいずれか１項に記載の、前記蓋体の前記筒壁部の内周面および前記外容器の外周面には、前記外容器の開口部を前記蓋体で閉じたとき係合する、係脱可能な凸条部と凹条部が周方向に設けられていることを特徴としている。
【００１１】
請求項５に記載の発明は、請求項１乃至４のいずれか１項に記載の、前記内容器の上面部に有する吸い出し口は、前記内容器の上面部中央に位置して形成されており、また、前記蓋体に設けられた注出ポンプは、前記蓋体の天板部中央に位置して設けられていることを特徴としている。
【発明の効果】
【００１２】
請求項１に記載の詰め替え容器によれば、上部に開口部を有するプラスチック製の外容器と、前記外容器の開口部を閉じるプラスチック製の蓋体と、上面部に穴を形成し、該穴を破断可能なフィルムで封止して形成された吸い出し口を有し、内部に液状内容物を収容し、液状内容物の消尽時に交換可能に前記外容器に収納される紙製の内容器と、前記蓋体に設けられ、前記外容器に収容された前記内容器の前記吸い出し口に吸い込み管を突き刺して液状内容物を吸い込み外部へ注出する注出ポンプとからなり、前記外容器の開口部を前記蓋体で閉じたとき、前記注出ポンプの吸い込み管が前記内容器の前記吸い出し口に差し込まれるようになっている詰め替え容器において、前記注出ポンプの前記吸い込み管は、前記内容器に有する前記吸い出し口を形成する前記穴の直径より小径に形成されており、前記吸い込み管には、前記穴の直径と同径若しくは僅かに大径に形成され、前記外容器の開口部を前記蓋体で閉じたとき、前記注出ポンプの吸い込み管の下移動により、前記穴に当接し弾性変形して前記内容器内へ入り、前記外容器から前記蓋体を外したとき、前記注出ポンプの吸い込み管の上移動により前記穴に掛止し、前記内容器を一体となって引き上げる楔状の鍔状部が設けられているので、液状内容物を消尽した前記内容器の交換のために前記外容器から前記蓋体を外したとき、前記蓋体に伴って上移動する前記注出ポンプの吸い込み管に設けられた楔状の前記鍔状部が、前記内容器に有する前記吸い出し口を形成する前記穴に掛止し、前記内容器が一体となって引き上げられることになり、前記外容器から前記内容器を容易に取り出すことができる。
【００１３】
請求項２に記載の詰め替え容器によれば、請求項１に記載の、前記蓋体は、前記外容器の外周に嵌合する筒壁部を有し、前記注出ポンプの吸い込み管は、その先端が前記筒壁部の開口端の内側に位置する長さとなっているので、前記外容器から前記蓋体を外したとき、前記蓋体に設けられている前記注出ポンプの吸い込み管が前記蓋体の筒壁部内に収まり、前記蓋体の下端、即ち前記筒壁部の開口端から外部へ突出していないことから、前記外容器から外した前記蓋体の筒壁部の開口端を下に向けて床等の上に置くことにより、前記注出ポンプの吸い込み管の先端が床等に接せず、これにより衛生性が確保できるとともに、前記吸い込み管の先端に付着している液状内容物による床等の汚れを防止することができる。
また、前記注出ポンプの吸い込み管の先端部が斜めにカットされ、その先端が尖った形状に形成されたものであっても、前記注出ポンプの吸い込み管が前記蓋体の筒壁部内に収まり、前記蓋体の下端、即ち筒壁部の開口端から外部へ突出していないことから、前記外容器から外した前記蓋体を床等の上に置いても、前記注出ポンプの吸い込み管の先端を傷つけるおそれは無く突き刺し性が確保でき、また、尖った先端で使用者の手を傷つけてしまうといったことを防止できる。
【００１４】
請求項３に記載の詰め替え容器によれば、請求項１または２のいずれか１項に記載の、前記注出ポンプの前記吸い込み管は、前記外容器の開口部を前記蓋体で閉じたとき、その先端が前記内容器の底部近傍に位置する長さとなっているので、前記内容器内に収容されている液状内容物の殆どを吸い出すことができ、液状内容物の無駄を減らすことができる。
【００１５】
請求項４に記載の詰め替え容器によれば、請求項１乃至３のいずれか１に記載の、前記蓋体の前記筒壁部の内周面および前記外容器の外周面には、前記外容器の開口部を前記蓋体で閉じたとき係合する、係脱可能な凸条部と凹条部が周方向に設けられているので、前記外容器からの前記蓋体の不意な外れを防止できるとともに、前記外容器内への水滴の浸入を抑制することができる。
【００１６】
請求項５に記載の詰め替え容器によれば、請求項１乃至４のいずれか１に記載の、前記内容器の上面部に有する吸い出し口は、前記内容器の上面部中央に位置して形成されており、また、前記蓋体に設けられた注出ポンプは、前記蓋体の天板部中央に位置して設けられているので、前記外容器の外周に前記蓋体の筒壁部を嵌合すると、前記蓋体に設けられた注出ポンプの吸い込み管は、前記外容器に収納されている前記内容器の上面部に有する吸い出し口の上方に位置するように規制され、前記外容器の外周に嵌合した前記蓋体を前記外容器の外周に沿って押し進めると、前記蓋体に設けられた前記注出ポンプの吸い込み管の先端が、前記外容器に収納されている前記内容器の上面部に有する吸い出し口に自動的に案内されて突き刺さることになり、前記注出ポンプの吸い込み管を前記内容器の吸い出し口に容易に且つ確実に差し込むことができる。
【図面の簡単な説明】
【００１７】
【図１】本発明に係る詰め替え容器の実施の形態の一例を示す分解断面図である。
【図２】図１に示す詰め替え容器における外容器への内容器の収納工程を示す断面図である。
【図３】図１に示す詰め替え容器における外容器への内容器の収納工程を示す断面図である。
【図４】図１に示す詰め替え容器における外容器への内容器の収納完了状態を示す断面図である。
【図５】図１に示す詰め替え容器における外容器外への内容器の取り出し工程を示す断面図である。
【図６】図１に示す詰め替え容器における外容器外への内容器の取り出し工程を示す断面図である。
【発明を実施するための形態】
【００１８】
以下、本発明に係る詰め替え容器の実施の形態の一例を図面を参照して詳細に説明する。
図１は本例の詰め替え容器の分解断面図、図２は図１に示す詰め替え容器における外容器への内容器の収納工程を示す断面図、図３は図１に示す詰め替え容器における外容器への内容器の収納工程を示す断面図、図４は図１に示す詰め替え容器における外容器への内容器の収納完了状態を示す断面図、図５は、図１に示す詰め替え容器における外容器外への内容器の取り出し工程を示す断面図、図６は図１に示す詰め替え容器における外容器外への内容器の取り出し工程を示す断面図である。
【００１９】
本例の詰め替え容器１は、上部に開口部２を有するプラスチック製の外容器３と、外容器３の開口部２を閉じるプラスチック製の蓋体４と、内部にシャンプーや液体石鹸などの液状内容物を収容し、液状内容物の消尽時に交換可能に外容器３に収納される紙製の内容器５と、蓋体４に設けられ、外容器内３に収容されている内容器５内の液状内容物を吸い込んで外部へ注出する注出ポンプ６とからなる。
【００２０】
外容器３は、本例では透明なプラスチックで形成されているが、透明であることに限らない。また、形状にあっては本例では胴部断面略正方形の筒状となっている。外容器３の長さは、外容器３内に内容器５を収納したとき、外容器３の開口部２の端面２ａが内容器５の上面部７と同一面或いは内容器５の上面部７を僅かに超える長さとなっている。本例では、内容器５の上面部７を僅かに超える長さに形成されている。
また、外容器３内の底部８には、外容器３内に収納した内容器５の底部９を受ける底受け部１０が設けられている。
また、外容器３の外周面には、蓋体４に有する後述するところの筒壁部の内周面に設けられている凸条部と弾性変形を利用して係脱する凹条部１１が周方向に設けられている。
【００２１】
また、蓋体４は、外容器３の開口部２を閉じる天板部１２と外容器３の外周に嵌合する筒壁部１３とで構成されている。
蓋体４に設けられている注出ポンプ６は、筒状シリンダ部１４と、筒状シリンダ部１４の上部に設けられ、筒状シリンダ部１４内に摺動自在に嵌合するピストンの操作部を兼ねる注出ノズル１５と、筒状シリンダ部１４の下部に設けられた吸い込み管１６で構成されている。筒状シリンダ部１４は蓋体４の天板部１２に貫通して固定され、天板部１２の上面側に注出ノズル１５が配置され、天板部１２の下面側に吸い込み管１６が配置されている。
そして、外容器３の外周に蓋体４の筒壁部１３を嵌合して外容器３の開口部２を閉じたとき、蓋体４の天板部１２の下面側に配置されている吸い込み管１６が外容器３内に収納されている内容器５内へ挿入されるようになっている。蓋体４の天板部１２の下面側に配置されている吸い込み管１６は、その先端１６ａが筒壁部１３の開口端１３ａの内側に位置する長さとなっている。
本例では、さらに、吸い込み管１６は、外容器３の外周に蓋体４の筒壁部１３を嵌合して外容器３の開口部２を閉じることにより外容器３内に収納されている内容器５内へ挿入されたとき、その先端１６ａが内容器５の底部９の近傍に位置する長さとなっている。
【００２２】
また、蓋体４の筒壁部１３の内周面には、外容器３の開口部２を蓋体４で閉じたとき、外容器３の外周面に設けられている凹条部１１に弾性変形を利用して係脱する凸条部１７が周方向に設けられている。
本例では、蓋体４の筒壁部１３の内周面に凸条部１７が設けられ、外容器３の外周面に凹条部１１が設けられているが、蓋体４の筒壁部１３の内周面に凹条部が設けられ、外容器３の外周面に凸条部が設けられてもよい。
【００２３】
また、内容器５は、紙基材の少なくとも内面に熱可塑性樹脂層を有する紙容器素材で形成されており、その上面部７に吸い出し口１８が形成されている。吸い出し口１８にあっては、本例では、内容器５の上面部７に吸い出し口１８となる穴１９が形成され、上面部７の裏面に、破断可能なフィルム２０が穴１９を塞ぐように設けられており、注出ポンプ６の吸い込み管１６を突き刺すことにより破断できるようになっている。
吸い出し口１８となる穴１９は、注出ポンプ６の吸い込み管１６より大径となっており、穴１９の直径は、注出ポンプ６の吸い込み管１６の直径より少なくとも２ｍｍ以上長いことが好ましい。
なお、本例では、穴１９を塞ぐフィルム２０は上面部７の裏面に設けられているが、これに限らず、上面部７の表面に設けられていてもよく、また、上面部の表裏両面に設けられていてもよい。
【００２４】
フィルム２０としては、ポリエチレン、ポリプロピレン、ポリエステル、セロファン等の公知のフィルムが使用可能であるが、特に限定されない。フィルム２０が熱可塑性樹脂であると、ヒートシールにより上面部７に形成されている穴を容易に塞ぐことができる。
また、フィルム２０には、破断性、遮光性、酸素バリア性等の向上を目的としてアルミ箔や紙などを積層してもよい。
【００２５】
また、内容器５は、外容器３内で移動しないように位置決めされて収容されている。本例では、内容器５の形状は、その断面形状が外容器３の内部断面形状と概ね相似形に形成されており、外容器３内に収容されている内容器５は、その外面が外容器３の内面で支持され、且つ底部９が  外容器３内の底部８に設けられている底受け部１０に受けられて、外容器３内で位置決めされるようになっている。
本例の内容器５の底部９の形状は、逆切妻屋根状に形成されており、本例では、逆切妻屋根状の底部９はゲーブルトップの頂部を形成する手順で形成される。
【００２６】
また、本例では、注出ポンプ６の吸い込み管１６に、内容器５の上面部７に形成された吸い出し口１８となる穴１９の直径と同径若しくは僅かに大径に形成され、外容器３の開口部２を蓋体４で閉じたとき、注出ポンプ６の吸い込み管１６の下移動により、穴１９に当接し弾性変形して内容器５内へ入り、外容器３から蓋体４を外したとき、注出ポンプ６の吸い込み管１６の上移動により穴１９に掛止し、内容器５を一体となって引き上げる楔状の鍔状部２１が設けられている。更に詳細には、鍔状部２１の直径は、穴１９の直径以上で、穴１９の直径より１ｍｍを超えない範囲の径であることが好ましい。鍔状部２１の直径が穴１９の直径未満であると、外容器３から蓋体４を外したとき、注出ポンプ６の吸い込み管１６の上移動に伴い上移動する鍔状部２１が穴１９から抜けてしまい、内容器５が外容器３内に残ってしまうおそれがある。また、鍔状部２１の直径が穴１９の直径より１ｍｍを超えると、内容器５を吸い込み管１６から外すのが困難になる。
吸い込み管１６に楔状の鍔状部２１を設ける箇所は、吸い込み管１６の先端部位を除き特に限定されないが、本例では吸い込み管１６の基端部１６ｂに設けられている。
【００２７】
また、本例では、内容器５の上面部７に有する吸い出し口１８は、上面部７の中央に位置して形成されており、また、蓋体４に設けられた注出ポンプ６は、蓋体４の天板部１２の中央に位置して設けられている。
【００２８】
このように構成された詰め替え容器１における液状内容物の詰め替えは次のように行われる。
詰め替え容器１における液状内容物の詰め替え作業は、詰め替え容器１における外容器３への内容器５の収納作業と、外容器３へ収納した内容器５を外容器３から取り出す作業に分かれる。
【００２９】
外容器３への内容器５の収納作業にあっては、先ず、外容器３へ内容器５を収納する。
外容器３に収納された内容器５は、その外面が外容器３の内面で支持され、且つ底部９が外容器３内の底部８に設けられている底受け部１０に受けられて、外容器３内で位置決めされる。
次に、内容器５を収納した外容器３の外周に蓋体４の筒壁部１３を嵌合するが、蓋体４の天板部１２の下面側に配置されている注出ポンプ６の吸い込み管１６は、その先端１６ａが筒壁部１３の開口端１３ａの内側に位置する長さとなっているので、外容器３の外周への蓋体４の筒壁部１３の嵌合当初は、吸い込み管１６の先端が内容器５の上面部７に有する吸い出し口１８に至らない状態にある。
【００３０】
また、本例では、内容器５の上面部７に有する吸い出し口１８は、上面部７の中央に位置して形成されており、また、蓋体４に設けられた注出ポンプ６は、蓋体４の天板部１２の中央に位置して設けられているので、外容器３の外周に蓋体４の筒壁部１３を嵌合すると、蓋体４に設けられた注出ポンプ６の吸い込み管１６は、外容器３に収納されている内容器５の上面部７に有する吸い出し口１８の上方に位置するように規制される（図２参照。）。
【００３１】
外容器３の外周に嵌合した蓋体４を外容器の外周に沿って押し進めると、蓋体４は外容器３にガイドされて直進し、蓋体４に設けられた注出ポンプ６の吸い込み管１６の先端１６ａが、外容器３に収納されている内容器５の上面部７に有する吸い出し口１８に自動的に案内されて突き刺さって吸い出し口１８に差し込まれ、内容器５内へ挿入される（図３参照）。
【００３２】
さらに、外容器３の外周に嵌合した蓋体４を外容器の外周に沿って押し進めることにより、外容器３の開口部２が蓋体４で閉じられる。そして、外容器３の開口部２が蓋体４で閉じられたとき、この位置で蓋体４の筒壁部１３の内周面に設けられている凸条部１７が外容器３の外周面に設けられている凹条部１１に弾性変形して係合する。
【００３３】
本例では、注出ポンプ６の吸い込み管１６に楔状の鍔状部２１が設けられており、蓋体４の嵌合の過程で鍔状部２１が内容器５の上面部７に形成された吸い出し口１８となる穴１９に当接し弾性変形して内容器５内へ入る。
【００３４】
そして、外容器３の開口部２が蓋体４で閉じられたとき、本例では、内容器５内へ挿入された吸い込み管１６の先端１６ａは内容器５の底部９の近傍に位置する（図４参照）。
このようにして、外容器３への内容器５の収納作業は完了する。
【００３５】
外容器３へ収納した内容器５内の液状内容物を消尽したら、外容器３から蓋体４を外し、外容器３から液状内容物を消尽した内容器５を取り出す。
この外容器３へ収納した内容器５を外容器３から取り出す作業にあっては、外容器３に嵌合している蓋体４を引き上げる。蓋体４を引き上げたとき、蓋体４の筒壁部１３の内周面に設けられている凸条部１７が外容器３の外周面に設けられている凹条部１１から弾性変形して離脱し、蓋体４の引き上げを可能にする。
【００３６】
また、蓋体４を引き上げたとき、注出ポンプ６の吸い込み管１６に設けられている楔状の鍔状部２１が内容器５の上面部７に形成された吸い出し口１８となる穴１９に掛止し、内容器５が蓋体４一体となって引き上げられる（図５参照）。
さらに、蓋体４の引き上げを続け、蓋体４の筒壁部１３を外容器３から離脱させることにより、外容器３から蓋体４が外れ、同時に外容器３から内容器５が抜け出る（図６参照。）。
このようにして、外容器３へ収納した内容器５の取り出し作業は完了する。
【符号の説明】
【００３７】
１  詰め替え容器
２  開口部
３  外容器
４  蓋体
５  内容器
６  注出ポンプ
７  上面部
８、９  底部
１０  底受け部
１１  凹条部
１２  天板部
１３  筒壁部
１３ａ  開口端
１４  筒状シリンダ部
１５  注出ノズル
１６  吸い込み管
１６ａ  先端
１６ｂ  基端部
１７  凸条部
１８  吸い出し口
１９  穴
２０  フィルム
２１  鍔状部
【図１】
0006664946.tif 000002
【図２】
0006664946.tif 000003
【図３】
0006664946.tif 000004
【図４】
0006664946.tif 000005
【図５】
0006664946.tif 000006
【図６】
0006664946.tif 000007